(57)【特許請求の範囲】
【請求項１】
商品の外周を上下の二つのフィルムで環状に帯包装する印字包装装置であって、
前記商品を搬送する搬送部と、
第一ロール支持部から送り出され、前記商品の上面を覆い、印字が施される第一フィルムと、
第二ロール支持部から送り出され、前記商品の下面を覆い、熱収縮フィルムからなる第二フィルムと、
前記第一フィルムに印字する印字部と、
前記商品を覆った前記第一フィルム及び前記第二フィルム同士を溶着して重合部を形成する溶着部と、
前記重合部を、前記第一ロール支持部から送り出される前記第一フィルム及び前記第二ロール支持部から送り出される前記第二フィルムから切り離す切断部と、
前記切断部により切り離された前記商品に対して下方向から熱を加えて前記第二フィルムを熱収縮させるヒータと、
前記第一ロール支持部から送り出される前記第一フィルム及び前記第二ロール支持部から送り出される前記第二フィルムのそれぞれの送り出し量を制御する送出制御部と、を備え、
前記送出制御部は、前記搬送部における前記商品の搬送方向下流側に位置する前記重合部が前記商品の下面近傍に位置するように前記第一フィルム及び前記第二フィルムの少なくとも一方の送り出し量を制御する、印字包装装置。
【請求項２】
前記第一ロール支持部には、前記第二ロール支持部が対向配置されており、
前記ヒータは、ヒータベルトである、請求項１記載の印字包装装置。
【請求項３】
前記第一フィルムは、前記印字部の加熱によって発色する感熱層を有している、請求項１又は２記載の印字包装装置。
【請求項４】
第一識別子と前記商品に印字する商品情報とを関連付けて記憶する商品情報記憶部と、
第二識別子と前記商品情報を印字する位置に関する印字情報とを関連付けて記憶する印字情報記憶部と、
前記第一識別子と前記第二識別子とからなるコード情報を読み取るスキャナと、を更に備え、
前記スキャナによって前記コード情報が読み取られると、前記商品情報が、前記印字情報によって特定される位置に印字される、請求項１〜３の何れか一項記載の印字包装装置。
【発明の詳細な説明】
【技術分野】
【０００１】
本発明は、印字包装装置に関する。
【背景技術】
【０００２】
例えば、弁当等の蓋付トレーの商品に対し、当該商品の周りに帯シートを周回させ、端部同士が重なり合う重合部を溶着することによって蓋等を固定（以下、「帯包装」とも称する。）することが行われている。このような、帯包装を行う印字包装装置として、例えば特許文献１には、商品載置部を囲むように帯シート（フィルム）をループ状に繰り出し、その帯シートを商品の外周に沿うように絞り、当該帯シートの先端部と重合する部分を溶着して切断することにより、帯シートを商品に帯掛けする包装装置が開示されている。また、近年、当該商品の周りに帯シートを周回させ、端部同士が重なり合う重合部を溶着するだけでなく、商品全体をシュリンクトンネルに通過させることによりシュリンク処理（熱収縮処理）させることが行われている。
【先行技術文献】
【特許文献】
【０００３】
【特許文献１】特開２００６−１６８７９２号公報
【発明の概要】
【発明が解決しようとする課題】
【０００４】
このような印字包装装置で包装される帯包装には、商品名や特徴的な模様柄等が印字されていることが多い。このため、比較的高価なフィルムや、予め模様等が印字されたフィルム等が包材として使用される。しかしながら、このような印字は、通常、商品棚に陳列された場合に見やすい位置である蓋を覆う部分等に施されるにもかかわらず、上記特許文献１に示したように、同一の包材により巻回されるので、印字されない部分にも高価な包材が使用されているといった事情がある。
【０００５】
本発明は、包材のコストを低減しつつ、見栄えに優れた帯包装が可能になる印字包装装置を提供することを目的とする。
【課題を解決するための手段】
【０００６】
本発明の包装装置は、商品の外周を環状に帯包装する印字包装装置であって、商品を搬送する搬送部と、商品の上面を覆う第一フィルムが巻回されたロールを支持する第一ロール支持部と、商品の下面を覆う第二フィルムを支持する第二ロール支持部と、第一ロール支持部から繰り出される第一フィルムに印字する印字部と、第一フィルム及び第二フィルム同士を溶着して重合部を形成する溶着部と、重合部を切断する切断部と、切断部により切断されてフィルムにより巻回された状態にある商品に対して下方向から熱を加えてフィルムを熱収縮処理するヒータと、を備えている。
【０００７】
この構成の印字包装装置では、商品を帯包装するのに二つの包材を使用する構成としたことにより、印字を施さない側のフィルムを汎用性のある熱収縮フィルムを使用することができる。これにより、包材のコストを低減することができる。また、切断部により切断されたフィルムにより巻回された状態にある商品を下方向から熱を加えるヒータを備えているので、第一フィルム及び第二フィルムのうち第二フィルムにのみ熱収縮処理のための熱が供給される。これにより、第一フィルムが熱による変形などで見栄えが悪くなることを回避できるので、外観に優れた帯包装が可能になる。これらの結果、包材のコストを低減しつつ、見栄えに優れた帯包装が可能になる。
【０００８】
本発明の印字包装装置では、第一ロール支持部には、第二ロール支持部が対向配置されており、ヒータは、ヒータベルトであってもよい。
【０００９】
この構成の印字包装装置では、第一ロール支持部と第二ロール支持部とが互いに対向して配置されているので、商品の上方向と下方向とからフィルムを容易に供給できる。また、熱を加えるヒータが下方向から支持しながら熱を供給するので、商品の下面を覆うフィルムのみに容易に熱を加えることができる。
【００１０】
本発明の印字包装装置では、第一フィルムは、感熱層を有していてもよい。
【００１１】
シュリンクトンネルを使用する包装装置では、感熱フィルムを使うことができなかったので、インクを別途用意する必要があった。この構成の印字包装装置では、第一フィルムに熱が供給されないので、熱により発色することもない。したがって、感熱フィルムにより商品の上面を覆う位置に印字することが可能になる。
【００１２】
本発明の印字包装装置では、第一ロール支持部に支持された第一フィルム及び第二ロール支持部に支持された第二フィルムの送り出し量を制御する送出制御部を更に備え、送出制御部は、搬送部における搬送方向下流側に位置する重合部が商品の下面近傍に位置するように第一フィルム及び第二フィルムの少なくとも一方の送り出し量を制御してもよい。
【００１３】
この構成の印字包装装置では、商品の一の側面を、商品の上面を覆う第一フィルムによって覆うことができる。これにより、商品の上面と一の側面との両方に印字する場合も、感熱フィルムである第一フィルムへの印字が可能になる。この結果、フィルム上面に印字されていた内容の一部を当該側面に印字することができるので、商品の見栄えが向上する。また、従来商品の下面に印字されていた内容を当該側面に印字できるようになるので、商品の見易さが向上する。
【００１４】
本発明の印字包装装置では、第一識別子と商品に印字する商品に関する情報とを関連付けて記憶する商品情報記憶部と、第二識別子と商品情報を印字する位置に関する情報とを関連付けて記憶する印字情報記憶部と、第一識別子と第二識別子とが一のコードとして記憶されたコード情報を読み取るスキャナと、スキャナによってコード情報が読み取ることにより、商品情報と印字情報との関連付けを行う印字制御部と、を更に備える。
【００１５】
この構成の印字包装装置では、コードをスキャナで読み取るだけの簡易な作業によって、商品情報と印字情報との関連付けが可能になる。また、第一識別子と第二識別子とが組み合わされたコードを複数準備しておくことで、任意の商品情報を任意の位置に印字することが容易になる。なお、ここでいうコードとは、例えば、一次元コード（バーコード）又は二次元コード等という。
【発明の効果】
【００１６】
本発明によれば、包材のコストを低減しつつ、見栄えに優れた帯包装が可能になる。
【図面の簡単な説明】
【００１７】
【図１】一実施形態の印字包装装置の全体構成を示した全体構成図である。
【図２】一実施形態の印字包装装置の機能構成を示した機能ブロックである。
【図３】（Ａ）及び（Ｂ）は、商品を帯包装の流れを説明するための図である。
【図４】（Ａ）は、帯包装された商品を商品上面から見た上面図、（Ｂ）は、帯包装された商品を商品下面から見た下面図である。
【図５】（Ａ）は、商品情報記憶部に記憶された情報の一例であり、（Ｂ）は、印字情報記憶部に記憶された情報の一例である。
【図６】（Ａ）〜（Ｄ）のそれぞれは、印字設定のためのバーコードの一例を示す図である。
【発明を実施するための形態】
【００１８】
以下、図面を参照して一実施形態について説明する。図面の説明において、同一要素には同一符号を付し、重複する説明を省略する。図面の寸法比率は、説明のものと必ずしも一致していない。
【００１９】
（１）全体構成
本実施形態の印字包装装置１は、弁当等の蓋付トレーの商品Ｐに繰り出されるフィルムに印字すると共に、図４（Ａ）及び図４（Ｂ）に示されるように当該商品の周りに帯状のフィルム（第一フィルム１７及び第二フィルム２７）を周回させ、端部同士が重なり合う重合部ｗ（図３（Ａ）及び図３（Ｂ）参照）を溶着することによって蓋等を固定（以下、「帯包装」とも称する。）する。図１に示されるように、印字包装装置１は、搬送部３と、第一フィルム供給部１０と、印字部３０と、第二フィルム供給部２０と、溶着切断部（溶着部・切断部）４５と、ヒータブロック（ヒータ）９と、スキャナ７１（図２参照）と、制御部６０（図２参照）と、を備えている。
【００２０】
搬送部３は、商品Ｐを略水平方向に搬送する。搬送部３は、搬送駆動ローラ４Ａと搬送従動ローラ４Ｂとに架け渡された無端ベルト６とを備えた複数のベルトコンベヤ７からなる。ベルトコンベヤ７は、水平方向に所定方向に沿って一列に配列されている。
【００２１】
搬送部３には、一のベルトコンベヤ７と当該一のベルトコンベヤ７に隣接する他の一のベルトコンベヤ７との間に、後述する第二フィルム供給部２０から供給された第二フィルム２７をベルトコンベヤ７上に案内する開口部８が設けられている。搬送部３の搬送方向における開口部８の隙間の大きさは、第二フィルム供給部２０から繰り出される第二フィルム２７が通り、且つ第一フィルム１７及び第二フィルム２７を溶着する溶着切断部４５の下側の溶断刃４５Ｂが通過することができるが、包装に供される商品Ｐが落下しない大きさとされる。
【００２２】
開口部８の上方は、後述する第一フィルム供給部１０及び第二フィルム供給部２０から第一フィルム１７及び第二フィルム２７が供給されると共に、端部同士が重なり合う重合部ｗ（図３（Ａ）及び図３（Ｂ）参照）が溶着切断部４５によって溶着切断されることによって、商品が帯包装される帯包装領域４０である。
【００２３】
第一フィルム供給部１０は、搬送部３の上方に配置されており、搬送部３によって略水平方向に搬送される商品Ｐの上面を覆う第一フィルム１７を供給する。第一フィルム供給部１０は、第一ロール支持部１１と、第一送出部１３と、を有している。第一ロール支持部１１は、第一フィルム１７が巻回された第一ロール１５を回転可能に支持する。第一送出部１３は、第一ロール支持部１１に支持された第一ロール１５から第一フィルム１７を引き出すと共に、引き出した第一フィルム１７を開口部８の上方（帯包装領域４０）に送り出す。第一送出部１３は、第一フィルム１７を挟持する第一駆動ローラ１３Ａと第一従動ローラ１３Ｂとからなる。第一送出部１３は、後述する送出制御部６１により、第一フィルム１７の送り出しが制御される。
【００２４】
第一フィルム１７は、ベースとなる本体部１７Ａと、本体部１７Ａの一方の表面が感熱層により形成された印字面１７Ｂと、を有する感熱フィルムである。印字面１７Ｂは、熱の印加により発色する。
【００２５】
印字部３０は、第一フィルム供給部１０から繰り出される第一フィルム１７に印字する。印字部３０は、発熱部３１と、印字ローラ３３と、を有している。
【００２６】
発熱部３１は、印字データに応じて加熱される複数の微小な発熱体を備えたサーマルヘッドである。発熱部３１は、加熱された発熱体を第一フィルム１７の印字面（感熱層が設けられた面）に接触させることで、感熱印字方式の印字を行う。
【００２７】
印字ローラ３３は、発熱部３１に対向して配置される。印字ローラ３３の表面は、ゴム系の素材で構成されている。印字ローラ３３は、モータ（図示せず）によって回転駆動される駆動ローラである。モータには、例えばステッピングモータが用いられる。
【００２８】
印字ローラ３３は、発熱部３１と共に第一フィルム１７を挟み込むように配置されている。これにより、印字ローラ３３は、第一フィルム１７の印字面を発熱部３１に押し付けながら、印字ローラ３３の回転駆動により第一フィルム１７を供給方向（図１の矢印）に移動させることができる。印字ローラ３３は、発熱部３１の下側に配置されている。そのため、第一フィルム１７は、印字面が上面となる姿勢で帯包装領域４０へ供給される。
る。
【００２９】
第二フィルム供給部２０は、搬送部３の下方に配置されており、搬送部３によって略水平方向に搬送される商品Ｐの下面を覆う第二フィルム２７を供給する。第二フィルム供給部２０は、搬送部３を挟んで上下方向に対向配置されている。第二フィルム供給部２０は、第二ロール支持部２１と、第二送出部２３と、を有している。第二ロール支持部２１は、第二フィルム２７が巻回された第二ロール２５を回転可能に支持する。第二送出部２３は、第二ロール支持部２１に支持された第二ロール２５から第二フィルム２７を引き出すと共に、引き出した第二フィルム２７を開口部８を介して開口部８の上方（帯包装領域４０）に送り出す。第二送出部２３は、第二フィルム２７を挟持する第二駆動ローラ２３Ａと第二従動ローラ２３Ｂとからなる。第二送出部２３は、後述する送出制御部６１により、第二フィルム２７の送り出しが制御される。
【００３０】
第二フィルム２７は、シュリンク用フィルムである。第二フィルム２７は、塩化ビニル、ポリスチレン、ポリエチレンテレフタレート、ポリエチレン、ポリプロピレン、及びポリオレフィン等の材質からなるフィルムが用いられる。
【００３１】
溶着切断部４５は、開口部８の上方（帯包装領域４０）にて、第一フィルム供給部１０から供給される第一フィルム１７及び第二フィルム供給部２０から供給される第二フィルム２７の先端同士を加熱によって熱溶着して重合部ｗ（図３（Ａ）及び図３（Ｂ）参照）を形成すると共に、当該重合部ｗを搬送方向と直交する方向（幅方向）に切断する。溶着切断部４５は、上下一対の溶断刃４５Ａ，４５Ｂを有している。溶断刃４５Ａ，４５Ｂは、鉛直方向に移動可能に設けられており、第一フィルム１７及び第二フィルム２７の端部を熱溶着して重合部ｗを形成すると同時に切断する。
【００３２】
ヒータブロック９は、溶着切断部４５により切断されて第一フィルム１７及び第二フィルム２７により巻回された状態にある商品Ｐに対して下方向から熱を加えて第二フィルム２７を熱収縮処理する。本実施形態では、ヒータブロック９は、無端ベルト６が商品Ｐを搬送する際に無端ベルト６を挟んだ位置において無端ベルト６に接触するように配置されている。これにより、無端ベルト６は、ヒータベルトとして機能する。ヒータベルトとしての無端ベルト６は、商品Ｐを下方向から支持すると共に支持部分の第二フィルム２７をシュリンク処理（熱収縮処理）する。
【００３３】
図２に示される制御部６０は、印字包装装置１の動作制御及び各種の信号処理を行う。制御部６０は、ＣＰＵ（Central Processing Unit）、ＲＯＭ（Read Only Memory）、及びＲＡＭ（Random Access Memory）等がアドレスバスやデータバス等のバスラインを介して相互に接続されている。制御部６０は、印字包装装置１における各種制御処理を実行する概念的な部分としての送出制御部６１と、商品情報記憶部６３と、印字情報記憶部６５と、印字設定部６７と、印字制御部６９と、を有している。このような概念的な部分は、例えばＲＯＭに格納されているプログラムがＲＡＭ上にロードされてＣＰＵで実行される。
【００３４】
送出制御部６１は、第一ロール支持部１１に支持された第一フィルム１７及び第二ロール支持部２１に支持された第二フィルム２７の送り出し量を制御する。具体的には、送出制御部６１は、図３（Ｂ）に示されるように、搬送方向下流側に位置する重合部ｗが商品Ｐの下面Ｐｂ近傍（例えば、無端ベルト６に接触するような位置）に位置するように第一フィルム１７及び第二フィルム２７の少なくとも一方の送り出し量を制御する。なお、送出制御部６１における送り出し制御については、後段にて詳述する。
【００３５】
商品情報記憶部６３は、商品番号（第一識別子）と商品Ｐに印字する商品に関する情報とを関連付けて記憶する。商品情報記憶部６３は、例えば、シリコンディスク又はＳＳＤ（Solid State Drive）等の記憶装置により構成される。商品情報記憶部６３は、図５（Ａ）に示されるように、例えば、商品番号に対し、商品名、値段、消費期限、トレー長辺、トレー短辺、トレー高さ、及びフィルム長さ等を関連付けた商品情報を商品情報テーブルＴ１として記憶する。
【００３６】
印字情報記憶部６５は、印字フォーマット番号（第二識別子）と商品情報を印字する位置に関する情報とを関連付けて記憶する。例えば、ＳＳＤ等の記憶装置により構成される。印字情報記憶部６５は、印字フォーマット番号、印字位置（長辺）、印字位置（短辺）及び印字速度等を関連付けた印字情報を印字情報テーブルＴ２として記憶する。
【００３７】
印字設定部６７は、商品情報と印字情報とを関連付ける。具体的には、印字設定部６７は、後述するスキャナ７１により、図６（Ａ）〜図６（Ｄ）に示されるような、商品番号に対応する第一バーコード８１と、印字フォーマット番号に対応する第二バーコード８３とがセットになったバーコード（コード情報）８０を読み取られることにより、商品番号と印字フォーマット番号とを関連付ける。
【００３８】
例えば、図６（Ａ）に示されるバーコード８０は、図５（Ａ）に示される商品番号「１２３４」の商品情報と、図５（Ｂ）に示される印字フォーマット番号「１２３６」の印字情報と、を関連付けるために用いられる。例えば、図６（Ｂ）に示されるバーコード８０は、図５（Ａ）に示される商品番号「１２３４」の商品情報と、図５（Ｂ）に示される印字フォーマット番号「１２３７」の印字情報と、を関連付けるために用いられる。例えば、図６（Ｃ）に示されるバーコード８０は、図５（Ａ）に示される商品番号「１２３５」の商品情報と、図５（Ｂ）に示される印字フォーマット番号「１２３６」の印字情報と、を関連付けるために用いられる。例えば、図６（Ｄ）に示されるバーコード８０は、図５（Ａ）に示される商品番号「１２３５」の商品情報と、図５（Ｂ）に示される印字フォーマット番号「１２３７」の印字情報と、を関連付けるために用いられる。印字包装装置１には、このようなバーコード８０が複数印字された冊子等が用意されている。
【００３９】
印字制御部６９は、印字設定部６７によって関連付けられた設定にしたがって、第一駆動ローラ１３Ａ、第二駆動ローラ２３Ａ、搬送駆動ローラ４Ａ、発熱部３１、印字ローラ３３、及び溶着切断部４５等を制御する。例えば、印字制御部６９は、印字設定部６７によって関連付けられた設定によって、第一フィルム１７及び第二フィルム２７によって帯包装された際に、図３（Ｂ）に示されるような、商品Ｐの上面Ｐａを覆う位置Ｐ１に印字すると共に、商品Ｐの側面Ｐｃを覆う位置Ｐ２に印字することが可能になる。
【００４０】
スキャナ７１は、商品番号に対応する第一バーコード８１と、印字フォーマット番号に対応する第二バーコード８３とがセットになったバーコード８０を読み取る。スキャナ７１の読み取り面には、光源と光センサーとが設けられている。スキャナ７１は、バーコードに当たって反射する光源からの光をセンサーで検知し、バーの幅と隙間の幅とに基づいて数値を特定する。
【００４１】
（２）印字包装装置による帯包装の動作
次に、印字包装装置１による帯包装の動作を説明する。印字包装装置１では、帯包装に先立って、オペレータにより帯包装として印字する内容が設定される。印字内容の設定は、オペレータが、印字包装装置１に搭載されるスキャナ７１を利用して、図６（Ａ）〜図６（Ｄ）に示されるようなバーコード８０が複数印字された冊子等から、一のバーコード８０を読み取る。このような作業により、印字包装装置１では、第一フィルム１７に印字される内容が設定される。
【００４２】
商品Ｐは、搬送部３によって搬送されると共に、第一フィルム１７及び第二フィルム２７は、第一送出部１３及び第二送出部２３によってそれぞれ繰り出される。第一フィルム１７は、先に設定された内容にしたがって、印字部３０によって印字される。
【００４３】
第一送出部１３及び第二送出部２３によってそれぞれ繰り出される第一フィルム１７及び第二フィルム２７の先端は、図１に示されるように、搬送部３上の帯包装領域４０にて、溶着切断部４５によって溶着連結（前側重合部ｗ１）される。次に、図３（Ａ）に示されるように、商品Ｐは、溶着連結されることにより一体となった第一フィルム１７及び第二フィルム２７の先端に送り出される。搬送部３によって送り出された商品Ｐは、第一送出部１３及び第二送出部２３によってそれぞれ繰り出される第一フィルム１７及び第二フィルム２７によって、上面Ｐａ及び下面Ｐｂに沿うように覆われる。
【００４４】
このとき、図３（Ｂ）に示されるように、送出制御部６１は、搬送方向下流側に位置する前側重合部ｗ１が商品Ｐの下面Ｐｂ近傍（搬送面の近傍）に位置するように第一送出部１３及び第二送出部２３を制御して、第一フィルム１７及び第二フィルム２７の少なくとも一方の送り出し量を制御する。送出制御部６１は、例えば、商品Ｐが前側重合部ｗ１に接触してから所定時間の間、第一フィルム１７の送り出し量が第二フィルム２７の送り出し量よりも大きくなるように、第一送出部１３及び第二送出部２３の少なくとも一方を制御する。
【００４５】
次に、図３（Ｂ）に示されるように、商品Ｐの上面Ｐａ及び下面Ｐｂを巻回した第一フィルム１７及び第二フィルム２７が、商品Ｐの後端縁（搬送方向上流側）にて、溶着切断部４５によって溶着連結（後側重合部ｗ２）される。これにより、図４（Ａ）及び図４（Ｂ）に示されるように、商品Ｐに対する帯包装が完成する。
【００４６】
（３）特徴及び作用・効果
上記実施形態の印字包装装置１では、商品Ｐを帯包装するのに第一フィルム１７及び第二フィルム２７の二つの包材を使用する構成としたことにより、印字を施さない側のフィルム（本実施形態では第二フィルム２７）を汎用性のある熱収縮フィルムを使用することができる。これにより、包材のコストを低減することができる。
【００４７】
また、上記実施形態の印字包装装置１では、溶着切断部４５により切断された第一フィルム１７及び第二フィルム２７により巻回された状態にある商品Ｐを下方向から熱を加えるヒータブロック９を備えているので、第一フィルム１７及び第二フィルム２７のうち第二フィルム２７にのみ熱収縮処理のための熱が供給される。これにより、第一フィルム１７が熱による変形などで見栄えが悪くなることを回避できるので、外観に優れた帯包装が可能になる。これらの結果、包材のコストを低減しつつ、見栄えに優れた帯包装が可能になる。
【００４８】
また、上記実施形態の印字包装装置１では、第一ロール支持部１１と第二ロール支持部２１とが互いに対向して配置されているので、商品Ｐの上方向から第一フィルム１７を、商品Ｐの下方向から第二フィルム２７を、それぞれ容易に供給できる。また、熱を加えるヒータブロック９が下方向から無端ベルト６を介して支持しながら熱を供給するので、商品Ｐの下面を覆う第二フィルム２７のみに容易に熱を加えることができる。
【００４９】
また、上記実施形態の印字包装装置１では、上記構成を有していることで、第一フィルム１７に熱が供給されることがない。したがって、感熱フィルムにより商品の上面を覆う位置に印字することが可能になる。また、シュリンクトンネルを使用する印字包装装置においては使用することができなかった感熱フィルムを用いることができるので、印字のためのインクを別途用意する必要がない。
【００５０】
また、上記実施形態の印字包装装置１では、搬送方向下流側に位置する前側重合部ｗ１が商品Ｐの下面Ｐｂ近傍に位置するように第一フィルム１７及び第二フィルム２７の送り出し量が制御されるので、商品Ｐの一の側面Ｐｃを、商品Ｐの上面Ｐａを覆う第一フィルム１７によって覆うことができる。これにより、商品Ｐの上面Ｐａと一の側面Ｐｃとの両方に印字したい場合も、感熱フィルムである第一フィルム１７への印字のみで実現が可能になる。また、商品Ｐの上面Ｐａに印字されていた内容の一部を当該側面Ｐｃに印字することができるので、商品Ｐの見栄えが向上する。また、従来商品の下面に印字されていた内容を当該側面Ｐｃに印字できるようになるので、商品Ｐの見易さが向上する。
【００５１】
また、上記実施形態の印字包装装置１では、バーコード８０をスキャナ７１で読み取るだけの簡易な作業によって、商品情報と印字情報との関連付けが可能になる。
【００５２】
（４）変形例
以上、一実施形態について説明したが、本発明は、上記実施形態に限られるものではなく、発明の趣旨を逸脱しない範囲で種々の変更が可能である。
【００５３】
上記実施形態では、第一フィルム１７として感熱フィルムを使用する例を挙げて説明したが、本発明はこれに限定されない。例えば、第一フィルムとして感熱層を有さないフィルムを使用してもよい。この場合、例えば、第一フィルム印字する塗料（インキ）が含浸されたインクリボンと、インクリボンを加熱して第一フィルムに塗料を転写塗布（印刷）するサーマルヘッドと、サーマルヘッドと対応してインクリボン及び第一フィルムを挟持するプラテンローラと、使用済みインクリボンを回収する巻き軸と、を備える印字部とすることができる。
【００５４】
第一フィルムとして感熱フィルムを使用しない場合の印字部の構成は、上記構成に限定されず、例えば、例えば、インクジェット方式、直接静電複写方式、湿式静電複写方式などを採用した構成であってもよい。
【００５５】
上記実施形態では、加熱によって第一フィルム１７及び第二フィルム２７を熱溶着することによって重合部ｗが形成される例を挙げて説明したが、本発明はこれに限定されない。例えば、重合部ｗは、高周波による溶着や、超音波による溶着であってもよい。高周波による溶着を用いた場合は、高周波エネルギーの作用によって、フィルムそのものを内部から発熱させる方法なので安全であり、また、溶着を施す箇所のみを加熱させられるので重合部ｗの見栄えに優れる。また、超音波溶着を用いた場合は、超音波エネルギーの作用によって、対象フィルムに摩擦熱を発生させることで溶着させる。
【００５６】
上記実施形態では、搬送部３は、ベルトコンベヤ７を例に挙げて説明したが、複数のローラを搬送方向に配設したローラコンベアとしてもよい。
【００５７】
以上説明した種々の実施形態及び変形例は、本発明の趣旨を逸脱しない範囲で種々、組み合わせられてもよい。
【符号の説明】
【００５８】
１…印字包装装置、３…搬送部、９…ヒータブロック（ヒータ）、１０…第一フィルム供給部、１７…第一フィルム、２０…第二フィルム供給部、２７…第二フィルム、３０…印字部、４５…溶着切断部（溶着部・切断部）、６０…制御部、６１…送出制御部、６３…商品情報記憶部、６５…印字情報記憶部、６７…印字設定部、６９…印字制御部、７１…スキャナ、８０…バーコード（コード情報）、Ｐ…商品、Ｐａ…上面、Ｐｂ…下面、Ｐｃ…側面、Ｔ１…商品情報テーブル、Ｔ２…印字情報テーブル、ｗ…重合部。
【図１】
0006757562.tif 000002
【図２】
0006757562.tif 000003
【図３】
0006757562.tif 000004
【図４】
0006757562.tif 000005
【図５】
0006757562.tif 000006
【図６】
0006757562.tif 000007